(57)【要約】【課題】放電ワイヤを清掃する部材を移動させるための螺旋状の軸なしに放電ワイヤを清掃可能で、軸がない分だけ省スペース化が可能な画像形成装置を提供する。【解決手段】感光体ユニット１の下に位置する帯電チャージャユニット２の奥側に、電極につながるフック３と引張ばね４と導電性の滑車５を設ける。滑車５と帯電チャージャユニット２の前側に配した非導電性の滑車６との間に、輪状の放電ワイヤ７を張り渡す。滑車６と同軸上に、減速ギアと一体のモータ８を設け、放電ワイヤ７と滑車６とを同期回転駆動可能とする。帯電チャージャユニット２の前側に清掃部材９を固設し、放電ワイヤ７と常に一定圧力で接触させる。感光体ユニット１と放電ワイヤ７の一方の辺の間に放電の受け側であるグリッド１０を設け、他方の辺７ｂとグリッド１０の間は、壁２ａで完全に遮断する。【選択図】　　　　図１
2004109465.tif 000002
【特許請求の範囲】
【請求項１】
放電ワイヤ方式の帯電チャージャを有する画像形成装置において、駆動滑車と従動滑車の間に輪状の放電ワイヤを張り回してなり、上記放電ワイヤの清掃部材を上記滑車の一方の付近に配してなることを特徴とする画像形成装置。
【請求項２】
請求項１の画像形成装置において、上記放電ワイヤが途中部位を弾性部材でつないで輪状としてなることを特徴とする画像形成装置。
【請求項３】
請求項１の画像形成装置において、上記放電ワイヤの途中部位にグリッドのクリーニング部材を設けてなることを特徴とする画像形成装置。
【発明の詳細な説明】
【０００１】
【発明の属する技術分野】
本発明は、感光体表面の帯電を行う放電ワイヤ方式の帯電チャージャを備えた画像形成装置に関する。
【０００２】
【従来の技術】
従来の放電ワイヤ方式の帯電チャージャ技術としては、清掃部材をバックプレートの側部外部から操作することにより、帯電器に設けた制御グリッドを取り外すことなく放電ワイヤを確実に清掃できるようにしたものがある（例えば特許文献１参照）。
【０００３】
【特許文献１】
特開平０５−１２７４９７号公報
【０００４】
【発明が解決しようとする課題】
上記従来の技術のような構成の場合、感光体方向の放電ワイヤ部は、放電ワイヤを清掃する部材を移動するために、螺旋状に溝を形成した軸と清掃部材が必要となるため、軸を使用することによるコスト上の問題と帯電部分にスペースが必要になるという省スペース化に反する問題とがあった。
【０００５】
本発明は、このような従来の問題点にかんがみ、螺旋状の軸なしに放電ワイヤを清掃可能で、軸がない分だけ省スペース化が可能な画像形成装置を提供することを目的とする。
【０００６】
【課題を解決するための手段】
本発明の請求項１に係る画像形成装置は、上記目的を達成するために、放電ワイヤ方式の帯電チャージャを有する画像形成装置において、駆動滑車と従動滑車の間に輪状の放電ワイヤを張り回してなり、上記放電ワイヤの清掃部材を上記滑車の一方の付近に配してなることを特徴とする。
【０００７】
同請求項２に係るものは、上記目的を達成するために、請求項１の画像形成装置において、上記放電ワイヤが途中部位を弾性部材でつないで輪状としてなることを特徴とする。
【０００８】
同請求項３に係るものは、上記目的を達成するために、請求項１の画像形成装置において、上記放電ワイヤの途中部位にグリッドのクリーニング部材を設けてなることを特徴とする。
【０００９】
【発明の実施の形態】
以下本発明の実施の形態を図面を参照して説明する。
図１は本発明に係る画像形成装置の第１実施形態の要部である帯電チャージャユニット周りの概略構成を示す斜視図である。本実施形態は、図示のように、ベルト状の感光体ユニット１の下側に帯電チャージャユニット２が配してあり、帯電チャージャユニット２の内部には、放電を行うための放電ワイヤ７が設けてある。
【００１０】
帯電チャージャユニット２は感光体ユニット１の下側に位置し、帯電チャージャユニット２の奥側には電極につながっているフック３と引張ばね４と導電性の滑車５が設けてある。滑車５と帯電チャージャユニット２の前側に配した非導電性の滑車６との間には、輪状の放電ワイヤ７が張り渡してある。また非導電性の滑車６と同軸上には、減速ギアと一体となったモータ８が設けてあり、放電ワイヤ７と非導電性の滑車６とを同期して回転駆動可能となっている。すなわち滑車６が駆動側、滑車５が従動側となっている。
【００１１】
帯電チャージャユニット２の前側には、固定の清掃部材９が設けてあり、放電ワイヤ７と常に一定圧力で接触するようになっている。また、感光体ユニット１と放電ワイヤ７一方の辺の間には放電の受け側であるグリッド１０が設けてある。放電ワイヤ７のもう一方の辺７ｂとグリッド１０の間は、帯電チャージャユニット２の本体で構成する壁２ａにより完全に遮断してある。
【００１２】
本実施形態は、上述のような構成とすることにより、従来のような螺旋状の軸なしに放電ワイヤ７を清掃できる。また軸がない分だけ省スペース化を図れる。
【００１３】
図２は本発明に係る画像形成装置の第２実施形態の要部である帯電チャージャユニット周りの概略構成を示す斜視図である。本実施形態は、図示のように、第１実施形態においては帯電チャージャユニット２の奥側に配した引張バネ４を無くし、輪状にした放電ワイヤ７の一箇所を引張バネ１１で連結した構成となっている。このため、放電ワイヤ７に必ずしも輪状のものを用いなくても、線状のものの端部を連結することで採用可能となる。
【００１４】
図３は本発明に係る画像形成装置の第３実施形態の要部である帯電チャージャユニット周りの概略構成を示す斜視図である。本実施形態は、図示のように、第１実施形態の構成から帯電チャージャユニット２の本体で構成した壁２ａを削除し、輪状にした放電ワイヤ７の一箇所を引張バネ１１とグリット清掃部材１３とで連結した構成としてある。グリット清掃部材１３はグリッド１０に接触するように設けてある。このため、グリッド部１０と放電ワイヤ７をひとつの清掃手段で清掃することが可能となっている。
【００１５】
【発明の効果】
請求項１に係る画像形成装置は、以上説明してきたように、螺旋状の軸なしに放電ワイヤを清掃でき、かつ、軸がない分だけ省スペースが可能になるという効果がある。
【００１６】
請求項２に係る画像形成装置は、以上説明してきたように、上記請求項１と同様の効果に加え、放電ワイヤが輪状でなく端部をもっている場合でも使用することが可能になるという効果がある。
【００１７】
請求項３に係る画像形成装置は、以上説明してきたように、グリッド部と放電ワイヤを同一の手段で清掃することが可能になるという効果がある。
【図面の簡単な説明】
【図１】本発明に係る画像形成装置の第１実施形態の要部である帯電チャージャユニット周りの概略構成を示す斜視図である。
【図２】本発明に係る画像形成装置の第２実施形態の要部である帯電チャージャユニット周りの概略構成を示す斜視図である。
【図３】本発明に係る画像形成装置の第３実施形態の要部である帯電チャージャユニット周りの概略構成を示す斜視図である。
【符号の説明】
１　感光体ユニット
２　帯電チャージャユニット
２ａ　帯電チャージャユニットの壁
３　フック
４　引張ばね
５　導電性の滑車
６　非導電性の滑車
７　放電ワイヤ
８　モータ
９　清掃部材
１０　グリッド
１１　引張バネ
１３　グリット清掃部材
【図１】
2004109465.tif 000003
【図２】
2004109465.tif 000004
【図３】
2004109465.tif 000005